(57)【特許請求の範囲】
【請求項１】
入力される電力スペクトラム密度を表す近似式Ｐ（ｆ）と白色雑音パターンを高速フーリエ変換して求めた電力スペクトラム密度Ｇ（ｆ）とからＳ（ｆ）＝Ｇ（ｆ）×Ｐ（ｆ）として周波数ｆに対する出力電力スペクトラム密度Ｓ（ｆ）を求める手段と、
この手段によって求められた出力電力スペクトラム密度Ｓ（ｆ）を逆フーリエ変換して時間間隔と振幅のデータ形式に変換する手段と、
この手段によって時間間隔と振幅のデータ形式に変換された出力電力スペクトラム密度Ｓ（ｆ）に基づいてディジタル波形を生成するディジタル波形生成手段と、
このディジタル波形生成手段によって生成されたディジタル波形をアナログ波形に変換して雑音波形とするＤＡ変換手段と
を備えたことを特徴とする雑音印加装置。
【請求項２】
請求項１に記載された雑音印加装置において、前記求められた出力電力スペクトラム密度Ｓ（ｆ）をモニタに表示する表示手段を備えていることを特徴とする雑音印加装置。
【発明の詳細な説明】
【０００１】
【発明の属する技術分野】
この発明は、雑音印加装置に関し、特に受信特性の評価を行う場合に用いられる雑音印加装置に関するものである。
【０００２】
【従来の技術】
従来、この種の雑音印加装置は、例えばＣＣＩＴＴ勧告Ｇ９６１の４章に記載されているように、受信機の性能評価（受信特性の評価）において、同一ケーブル内における他ペア線に対する有限の漏話結合損失によって引き起こされる電気的環境のシミュレーションに用いられる。
【０００３】
図３は従来の雑音印加装置の一例を示すブロック図である。同図において、１は雑音印加装置、２はディジタルローカルループ、３は回線終端装置（ＬＴ）、４は網終端装置（ＮＴ１）であり、ＮＴ１・４はディジタルローカルループ２を介してＬＴ・３に接続されている。
【０００４】
雑音印加装置１において、白色雑音発生源１０１は、一定のスペクトル密度を持つ白色雑音を発生する。調整されたアッテネータ１０２は白色雑音のレベルを減衰させる。伝送路符号と送信フィルタ１０３は個々の伝送路符号と個々の送信フィルタに合っている電力スペクトラムを実現させる。電力和損失１０４は、フィルタであり、ケーブル内の多くの妨害ディジタルローカル回線（ＤＬＬ）から被妨害ＤＬＬに誘導される同一システム間の損失特性に合っている電力スペクトラムを実現する。雑音挿入回路１４はディジタルローカルループ２に雑音を印加する。
【０００５】
【発明が解決しようとする課題】
しかしながら、このような従来の雑音印加装置１によると、雑音波形が変更になった場合、短時間でこれに対応することができない。すなわち、従来の雑音印加装置１では、電力スペクトラムを実現させるフィルタ１０３，１０４がＣＲアクティブフィルタで構成されており、雑音波形の変更に対してはこのフィルタ１０３，１０４の部品を変えなければならず、短時間で対応することができない。また、従来の雑音印加装置１では、雑音波形が複雑になった場合、これに一致する雑音波形を出力することができない。すなわち、従来の雑音印加装置１では、電力スペクトラムを実現させるフィルタ１０３，１０４がＣＲアクティブフィルタで構成されているため、複雑な波形に対応することができない。
【０００６】
本発明はこのような課題を解決するためになされたもので、その目的とするところは、複雑な雑音波形を印加することができ、また雑音波形の変更にも短時間で対応することができる雑音印加装置を提供することにある。
【０００７】
【課題を解決するための手段】
このような目的を達成するために、第１発明（請求項１に係る発明）は、入力される電力スペクトラム密度を表す近似式Ｐ（ｆ）と白色雑音パターンを高速フーリエ変換して求めた電力スペクトラム密度Ｇ（ｆ）とからＳ（ｆ）＝Ｇ（ｆ）×Ｐ（ｆ）として周波数ｆに対する出力電力スペクトラム密度Ｓ（ｆ）を求める手段と、この手段によって求められた出力電力スペクトラム密度Ｓ（ｆ）を逆フーリエ変換して時間間隔と振幅のデータ形式に変換する手段と、この手段によって時間間隔と振幅のデータ形式に変換された出力電力スペクトラム密度Ｓ（ｆ）に基づいてディジタル波形を生成するディジタル波形生成手段と、このディジタル波形生成手段によって生成されたディジタル波形をアナログ波形に変換して雑音波形とするＤＡ変換手段とを設けたものである。
この発明によれば、入力される近似式Ｐ（ｆ）と白色雑音パターンを高速フーリエ変換して求めた電力スペクトラム密度Ｇ（ｆ）とからＳ（ｆ）＝Ｇ（ｆ）×Ｐ（ｆ）として周波数ｆに対する出力電力スペクトラム密度Ｓ（ｆ）が求められ、この求められた出力電力スペクトラム密度Ｓ（ｆ）が逆フーリエ変換されて時間間隔と振幅のデータ形式に変換され、この時間間隔と振幅のデータ形式に変換された出力電力スペクトラム密度Ｓ（ｆ）に基づいてディジタル波形が生成され、このディジタル波形がアナログ波形に変換されて雑音波形とされる。
【０００９】
第２発明（請求項２に係る発明）は、第１発明において、求められた出力電力スペクトラム密度Ｓ（ｆ）をモニタに表示する表示手段を設けたものである。この発明によれば、出力電力スペクトラム密度Ｓ（ｆ）に基づいて雑音波形が生成される一方、出力電力スペクトラム密度Ｓ（ｆ）がモニタに表示される。
【００１０】
【発明の実施の形態】
以下、本発明を実施の形態に基づき詳細に説明する。図１はこの発明の一実施の形態を示す雑音印加装置のブロック図である。同図において、図３と同一符号は同一或いは同等構成要素を示し、その説明は省略する。この実施の形態において、雑音印加装置１’は、コンピュータ１１と波形ジェネレータ１２とＤＡ変換器１３と雑音挿入回路１４とを備えている。コンピュータ１１は、ガウスランダム白色雑音パターンの発生や高速フーリエ変換，逆フーリエ変換を行う機能を有している。
【００１１】
この雑音印加装置１’において、雑音としてＡＮＳＩ勧告Ｔ１．６０１における擬似近端漏話（ＮＥＸＴ）をディジタルローカルループ２に印加する場合、コンピュータ１１には図２に示す擬似ＮＥＸＴの電力スペクトラム密度を表す近似式Ｐ（ｆ）および印加する周波数範囲１ｋＨｚから５００ｋＨｚをデータとして入力する。
【００１２】
コンピュータ１１は、ガウスランダム白色雑音パターンを高速フーリエ変換して求めた電力スペクトラム密度Ｇ（ｆ）と上記近似式Ｐ（ｆ）とから、周波数ｆに対する出力電力スペクトラム密度Ｓ（ｆ）＝Ｇ（ｆ）×Ｐ（ｆ）を計算する。このとき、周波数ｆのサンプリング間隔はナイキストのサンプリング定理より印加する周波数範囲の上限の２倍である１ＭＨｚ以上とする。
【００１３】
また、コンピュータ１１は、そのモニタ１１−１にｘ軸を周波数、ｙ軸を計算結果のグラフとして表示する。これにより、雑音挿入回路１４からディジタルローカルループ２に印加される実際の雑音波形を観測しなくとも、出力電力スペクトラム密度Ｓ（ｆ）を容易に認識でき、近似式Ｐ（ｆ）の妥当性を容易に且つ短時間で確認することができる。
【００１４】
次に、コンピュータ１１は、算出した結果（周波数ｆに対する振幅）を逆フーリエ変換して時間間隔（信号発生間隔）と振幅（出力電圧値）のデータ形式にした後、波形ジェネレータ１２に送出する。波形ジェネレータ１２は、コンピュータ１１からのデータに基づいて、ディジタル波形を出力する。ＤＡ変換器１３は、波形ジェネレータ１２からのディジタル波形を雑音挿入回路１４へ与える。雑音挿入回路１４は、ＤＡ変換器１３からのアナログ波形を雑音波形としてディジタルローカルループ２に印加する。
【００１５】
このように動作する雑音印加装置１’では、入力される近似式Ｐ（ｆ）に基づいてコンピュータ１１で波形データを作成するようにしているので、複雑な雑音波形を印加することができ、また雑音波形の変更にも短時間で対応することができる。
【００１６】
すなわち、雑音波形の変更に対しては、コンピュータ１１へ入力する近似式Ｐ（ｆ）を変えるのみでよく、コンピュータ１１で出力電力スペクトラム密度Ｓ（ｆ）を再計算させるだけで、装置構成の変更なしに短時間で対応することができる。また、近似式Ｐ（ｆ）に基づくコンピュータ１１での演算によって波形データを作成するので、複雑な雑音波形も簡単に生成することができる。
【００１７】
【発明の効果】
以上説明したことから明らかなように本発明によれば、入力される近似式Ｐ（ｆ）と白色雑音パターンを高速フーリエ変換して求めた電力スペクトラム密度Ｇ（ｆ）とからＳ（ｆ）＝Ｇ（ｆ）×Ｐ（ｆ）として周波数ｆに対する出力電力スペクトラム密度Ｓ（ｆ）を求め、この求めた出力電力スペクトラム密度Ｓ（ｆ）を逆フーリエ変換して時間間隔と振幅のデータ形式に変換し、この時間間隔と振幅のデータ形式に変換された出力電力スペクトラム密度Ｓ（ｆ）に基づいてディジタル波形を生成し、このディジタル波形をアナログ波形に変換して雑音波形とするようにしているので、複雑な雑音波形を印加することができ、また雑音波形の変更にも短時間で対応することができるようになる。
また、本発明によれば、求められた出力電力スペクトラム密度Ｓ（ｆ）に基づいて雑音波形が生成される一方、求められた出力電力スペクトラム密度Ｓ（ｆ）がモニタに表示されるので、印加される実際の雑音波形を観測しなくとも、近似式の妥当性を容易に且つ短時間で確認することができるようになる。
【図面の簡単な説明】
【図１】本発明の一実施の形態を示す雑音印加装置のブロック図である。
【図２】ＡＮＳＩ勧告Ｔ１．６０１における擬似近端漏話の電力スペクトラム密度を示すグラフである。
【図３】従来の雑音印加装置の一例を示すブロック図である。
【符号の説明】
１’…雑音印加装置、２…ディジタルローカルループ、３…回線終端装置（ＬＴ）、４…網終端装置（ＮＴ１）、１１…コンピュータ、１１−１…モニタ、１２…波形ジェネレータ、１３…ＤＡ変換器、１４…雑音挿入回路。
【図１】
0003576768.tif 000002
【図２】
0003576768.tif 000003
【図３】
0003576768.tif 000004